(57)【要約】【課題】  ツーピース歯科用インプラントのフィクスチャーを提供する。【解決手段】  このフィクスチャーは、骨長さを持ち、かつ最大外径を持つ螺旋ねじ山（３１）を含む第一頂端部（３０）と、前記第一頂端部（３０）に対向して配置された上部（３２）と、外科用器具及び補綴要素の少なくとも一つを解放可能に受けるためのねじ付き中空部（３３）と、軟組織（７０）に並置するためにかつ連結組織付着のために工夫された第二冠状部（３４）とを含み、前記第二冠状部（３４）が前記軟組織（７０）の層厚さより小さくなるように工夫された前記歯科用インプラント（３）の縦方向の長さを持ち、前記骨長さの前記最大外径に対する比が約０．８〜１．２の範囲にある。さらに、歯科用インプラントの骨組織内の安定性を改善する方法が開示されている。【選択図】  図５
2011527916.tif 000002
【特許請求の範囲】
【請求項１】
骨組織（８０）及び軟組織（７０）を含む、移植部位での移植のためのツーピース歯科用インプラントのフィクスチャー（１，２，３）であって、このフィクスチャーが、
前記骨組織（８０）に並置するために工夫された骨長さ（Ｌ２）を持ち、かつ最大外径（Ｄ１）を持つ螺旋ねじ山（１１，２１，３１）を含む第一頂端部（１０，２０，３０）と、
前記フィクスチャーの縦方向に前記第一頂端部（１０，２０，３０）に対向して配置された上部（１２，２２，３２）と、
外科用器具（５０）及び補綴要素（６０）のうちの少なくとも一つを解放可能に受けるための、前記上部（１２，２２，２３）の開口から前記第一頂端部に向けて延びる、めねじ付き中空部（１３，２３，３３）と、
前記軟組織（７０）に並置するためにかつ連結組織付着のために工夫され、前記上部から前記第一頂端部（１０，２０，３０）に向けて配置されている第二冠状部（１４，２４，３４）と、
を含み、
前記第二冠状部（１４，２４，３４）が、前記軟組織（７０）の層厚さより小さくなるように工夫された前記フィクスチャー（１，２，３）の縦方向の長さ（Ｌ３）を持ち、
前記最大外径（Ｄ１）に対する前記骨長さ（Ｌ２）の比が約０．８〜１．２の範囲にあることを特徴とするフィクスチャー。
【請求項２】
前記第二冠状部（１４，２４，３４）の前記長さが前記移植部位の前記軟組織（７０）の連結組織（７２）の高さに実質的に等しいように工夫されていることを特徴とする請求項１に記載のフィクスチャー。
【請求項３】
前記第二冠状部（１４，２４，３４）が、前記移植部位での前記フィクスチャーの移植時に前記第二冠状部（１４，２４，３４）に並置している連結組織（７２）の成長を促進するように工夫されていることを特徴とする請求項１または２に記載のフィクスチャー。
【請求項４】
前記頂端部（１０，２０，３０）の前記骨長さ（Ｌ２）に対する冠状部（１４，２４，３４）の長さ（Ｌ３）の比が約０．１８〜０．２８の範囲にあることを特徴とする請求項１〜３のいずれかに記載のフィクスチャー。
【請求項５】
螺旋ねじ山（１１，２１，３１）の前記最大外径（Ｄ１）が前記冠状部（１４，２４，３４）の最大外径（Ｄ２）より大きいことを特徴とする請求項１〜４のいずれかに記載のフィクスチャー。
【請求項６】
前記最大外径（Ｄ１）が前記冠状部（１４，２４，３４）の前記最大外径（Ｄ２）より約１０％〜２０％大きいことを特徴とする請求項５に記載のフィクスチャー。
【請求項７】
前記第一頂端部（１０，２０，３０）が、前記移植部位の前記骨組織（８０）の歯槽堤（８１）にまたはその下に配置されるように工夫されていることを特徴とする請求項１〜６のいずれかに記載のフィクスチャー。
【請求項８】
前記ねじ付き中空部（１３，２３，３３）が、０．９６〜１の範囲の前記フィクスチャーの前記骨長さ（Ｌ２）に対する比の深さを持つことを特徴とする請求項１〜７のいずれかに記載のフィクスチャー。
【請求項９】
前記フィクスチャーが最大外径と合計長を持ち、さらに前記合計長に対する前記最大外径の比が０．８３〜１．１４の範囲にあることを特徴とする請求項１〜８のいずれかに記載のフィクスチャー。
【請求項１０】
前記骨長さ（Ｌ２）に対する前記フィクスチャー（１，２，３）の縦方向の冠状部（１４，２４，３４）の前記長さ（Ｌ３）の比が約０．１３〜０．５７の範囲にあり、歯科用インプラントの合計長さが６ｍｍ未満であることを特徴とする請求項１〜９のいずれかに記載のフィクスチャー。
【請求項１１】
前記フィクスチャーが骨固定表面を持ち、さらに前記フィクスチャーの合計長に対する前記骨固定表面π＊Ｄ＊Ｌの比が１２．５〜１５．６ｍの範囲にあることを特徴とする請求項１〜１０のいずれかに記載のフィクスチャー。
【請求項１２】
前記螺旋ねじ山（１１，２１，３１）が、移植時の前記歯科用インプラントの一次安定性を改善するために前記フィクスチャーの截頭頂端（１００，２００，３００）に向けて先細りとなり、さらに前記螺旋ねじ山（１１，２１，３１）が、前記フィクスチャーの前記頂端に向けて先細りの増大する角度を持つ複数の先細り部で先細りとなっていることを特徴とする請求項１〜１１のいずれかに記載のフィクスチャー。
【請求項１３】
前記螺旋ねじ山（１１，２１，３１）が、前記骨長さ（Ｌ２）の全体に沿って前記フィクスチャーの前記冠状部（１４，２４，３４）から前記截頭頂端（１００，２００，３００）まで連続的に延びていることを特徴とする請求項１〜１２のいずれかに記載のフィクスチャー。
【請求項１４】
前記第二冠状部（１４，２４，３４）が少なくとも一つの曲がった大きな凹所を含むことを特徴とする請求項１〜１３のいずれかに記載のフィクスチャー。
【請求項１５】
前記第二冠状部（１４，２４，３４）が複数の微小凹所を含むことを特徴とする請求項１〜１４のいずれかに記載のフィクスチャー。
【請求項１６】
骨組織内の歯科用インプラントの安定性を改善する方法であって、
請求項１〜１５のいずれかに記載のツーピース歯科用インプラントのフィクスチャーを骨組織（８０）及び軟組織（７０）を含む前記フィクスチャーのための移植部位に移植することを含み、前記移植が、
ねじ付き中空部（１３，２３，３３）を持つ前記フィクスチャー（１，２，３）の上部（１２，２２，３２）と解放可能にかみ合う外科用器具（５０）の回転運動により前記フィクスチャー（１，２，３）の冠状部（１４，２４，３４）が前記骨組織（８０）の上の前記軟組織（７０）に並置されかつ頂端部（１０，２０，３０）が前記骨組織（８０）の頂上（８１）にまたはその下に位置するまで前記頂端部（１０，２０，３０）をその螺旋ねじ山（１１，２１，３１）により前記骨組織（８０）に並置することを含み、それにより前記軟組織（７０）の連結組織部（７２）内に前記冠状部（１４，２４，３４）を埋め込むことを特徴とする方法。
【請求項１７】
ねじ付き中空部を持つ前記フィクスチャーの前記上部（１２，２２，３２）の前記ねじ付き中空部（１３，２３，３３）中に一時的治癒アバットメント（６０）を取付けること、
前記一時的治癒アバットメント（６０）を治癒期間後に除去し、永久補綴要素を作るために前記フィクスチャーの前記上部の空間内の位置を記録し、そして一時的治癒アバットメント（６０）を前記ねじ付き中空部中に再度取付けること、
前記補綴要素を作ること、及び
前記一時的治癒アバットメントを除去し、かつ前記冠状部（１４，２４，３４）に付着した連結組織を変えることなく前記補綴要素を前記ねじ付き中空部中に取付けること、
をさらに含むことを特徴とする請求項１６に記載の方法。
【発明の詳細な説明】
【技術分野】
【０００１】
本発明は、一般的にインプラントのための固定フィクスチャーの分野に関する。より詳細には、本発明は、歯科用インプラント、特にツーピース歯科用インプラントのような頭部インプラントのねじ付きフィクスチャーに関する。
【背景技術】
【０００２】
種々の歯科用インプラントが知られている。短いインプラントは、十分な骨組織が利用できないところで、例えば利用できる骨組織が骨吸収により実質的に減少した無歯顎患者で選択される。これは特に下顎、ｍａｎｄｉｂｕｌａに対する場合に当てはまる。しかし、最も短い通常利用可能な歯科用インプラントでさえ、ある場合にはこの作業のためには長すぎる。その理由は、例えば骨組織中への歯科用インプラントの信頼できる安定な固定のために利用できる骨組織物質が極めて少ないからであり、またはこれらの利用できる歯科用インプラントでさえ長すぎて、それらが利用できる骨組織の全体の深さを貫通したり、顎骨組織の反対側に突出するからであり、それは容認できないからである。顎骨に沿って延びる神経及び血管はさらに、顎骨組織中の歯科用インプラントのために利用できる深さを局部的に限定する。従って、短いインプラントの骨組織中の安定性が通常利用できる歯科用インプラントと少なくとも同等に良好であるかまたはそれより改善されながら、通常利用できるものより短い歯科用インプラントに対する要求がある。
【０００３】
通常の歯科用インプラントは、骨固定のための一体化されたフィクスチャー及び経粘膜部分を持つワンピース歯科用インプラントを含む。しかし、ワンピース歯科用インプラントは治癒段階時に負荷にさらされる。過剰な負荷が容易に起こり、骨吸収に導き、従ってワンピース歯科用インプラントの低下した骨固定に導く。これは、特に短いワンピース歯科用インプラントに当てはまる。
【０００４】
通常の歯科用インプラントはさらに、骨組織中への固定のためのフィクスチャー素子及び別個の経粘膜アバットメント素子を持つツーピース歯科用インプラントを含む。例えば本出願と同じ出願人のＷＯ０５０７２６３９Ａ（Ｒｏｍｐｅｎ）は、補綴修復物を支持することを意図された歯科用インプラントのための経粘膜要素を持つツーピース歯科用インプラントを開示する。この経粘膜要素は、縦方向の距離が隣接軟組織の必要幅に相当する表面と接触しているウエスト形状をしたまたは内向きに狭くなった部分を持つ。従って、歯科用ユニットが形成され、それは、顎骨及び歯茎内にうまく固定され、かつ顎骨または歯茎と経粘膜要素またはフィクスチャーの隣接部分との間の優れたかつ丈夫な一体性を可能にし、並びに骨吸収及び陥没傾向を避ける。
【０００５】
しかし、歯科用インプラントの構造のため、ＷＯ０５０７２６３９Ａに開示された通常のインプラントの最小長さは、短いインプラントが必要である上述の特定の状況に対する改善のための余地を残す。加えて、通常の歯科用修復物は、ＷＯ０５０７２６３９Ａに開示された特定のウエスト形状の経粘膜要素のタイプと共に使用されることができない。
【０００６】
通常の歯科用インプラントの持つ別の問題は、移植後のある時間の間に周辺骨レベルが低下することが多いことである。これは、生体力学的因子のためであるかもしれず、それは、安定性の初期損失に導く（すなわち一次安定性の低下が起こる）ためであるかもしれない。例えば、周囲骨中の純粋に機械的な歪が過大であるかもしれず、インプラントの一次安定性が低くなりすぎ、従ってインプラントは顎骨組織からゆるくなる。この因子は、移植時に良好な一次安定性を与えるインプラントの好適な設計により改善されることができる。しかし、骨吸収に対する別の理由は、軟組織がインプラント本体に沿って成長しかつインプラント本体との接触から離れるように骨組織を部分的に押し、顎骨組織内のインプラントの安定性の損失を導くことである。
【０００７】
粘膜組織は付着上皮の表面層を持つ。付着上皮の下では連結組織の層がインプラント系歯科用修復物の経粘膜チャネルにおいてしっかりした連結を提供する。通常、ツーパート歯科用インプラントの経粘膜要素は、骨組織内に移植されたフィクスチャーに固定されたアバットメントである。しかし、これはある問題を起こす。例えばフィクスチャーの初期移植時の治癒段階後に、アバットメントは最終歯科用修復物が製造されることができるように、印象を作ることによりフィクスチャーの位置を決定するためにフィクスチャーから除去される。しかし、アバットメントのこの除去は、軟組織の減少したレベル、従って減少した周囲骨レベルに導くかもしれない。
【０００８】
市場で入手できる通常のツーピース歯科用インプラントのフィクスチャーは約７ｍｍ〜１０ｍｍの最小長さを持つ。しかし、これらのフィクスチャーでさえ、上で述べたように、特定の用途のために不適当であるかもしれない。
【０００９】
従って、ツーピース歯科用インプラントのための改善されたフィクスチャーが有利であるであろうし、特に柔軟性、患者の安全、及び／または移植安定性を可能にするツーピース歯科用インプラントのためのフィクスチャーが有利であるであろう。
【発明の概要】
【００１０】
従って、本発明の実施態様は、好ましくは上で特定されたような従来技術の一つまたはそれ以上の欠点、不利または問題を、添付独立特許請求項によるツーピース歯科用インプラントのフィクスチャー、及び骨組織内の歯科用インプラントの安定性を改善する方法を提供することにより、単独でまたはいずれかの組合せで、軽減し、緩和し、または排除することを探求する。
【００１１】
本発明の一態様によれば、ツーピース歯科用インプラントのためのフィクスチャーは、骨組織及び軟組織を含む移植部位での移植のためのものである。このフィクスチャーは、骨組織に並置するために工夫された骨長さを持ちかつ最大外径を持つ螺旋ねじ山を含む第一の頂端部と、第一の頂端部に対向して前記フィクスチャーの縦方向に配置された上部と、上部の開口から第一の頂端部に向けて延びる、少なくとも一つの外科用器具及び補綴要素を解放可能に受けるためのめねじ付き中空部と、軟組織に並置するためにかつ連結組織付着のために工夫され、上部から第一の頂端部に向けて配置されている第二の冠状部とを含み、第二の冠状部が軟組織の層厚さ未満であるように工夫されたフィクスチャーの縦方向の長さを持ち、最大外径に対する骨の長さの比が約０．８〜１．２の範囲にある。
【００１２】
本発明の別の態様によれば、骨組織中の歯科用インプラントの安定性を改善する方法が提供される。この方法は、本発明の第一態様によるツーピース歯科用インプラントのフィクスチャーを骨組織中に移植することを含む。この移植は、ねじ付き中空部を持つ歯科用インプラントの上部と解放可能にかみ合う外科用器具の回転運動により歯科用インプラントの冠状部が骨組織の上の軟組織に並置されかつ頂端部が骨組織の頂部以下に配置されるまで歯科用インプラントの螺旋ねじ山を含む頂端部を骨組織に並置することを含む。
【００１３】
本発明のさらなる実施態様は、従属請求項中に規定される。
【００１４】
本発明のある実施態様は、骨吸収の回避を提供する。
【００１５】
本発明のある実施態様は、歯科用インプラントの改善された骨固定を提供する。
【００１６】
本発明のある実施態様は、歯科用インプラントの改善された一次安定性を提供する。
【００１７】
ある実施態様は、維持された骨固定領域でのツーピース歯科用インプラントの減少した長さを提供する。
【００１８】
ある実施態様は、骨組織中への歯科用インプラントの安定な挿入を提供する。
【００１９】
ある実施態様は、歯科用インプラントの安定な骨固定をもたらす歯科用インプラントの冠状首またはカラーに沿った連結組織の有利な長さを提供する。
【００２０】
ある実施態様は、歯科用インプラントのどの部分も歯肉から突出しないような有利な審美性を提供する。
【００２１】
この明細書で使用される用語「含む／含んでいる」は、述べられた特徴、整数、工程または要素の存在を特定するものとしてとられるが、一つまたはそれ以上の他の特徴、整数、工程、要素またはそれらの群の存在または付加を排除しないことは強調されるべきである。
【図面の簡単な説明】
【００２２】
本発明の実施態様が可能なこれらの及び他の態様、特徴及び利点は、添付図面を参照した本発明の実施態様の以下の説明から明らかであり、かつ明瞭となるであろう。
【００２３】
【図１】図１は、拡張した直径を有するカラーを持つツーピース歯科用インプラントの透視図である。
【００２４】
【図２Ａ】図２Ａは、図１の歯科用インプラントの側面図である。
【００２５】
【図２Ｂ】図２Ｂは、図１の歯科用インプラントの断面側面図である。
【００２６】
【図２Ｃ】図２Ｃは、図１の歯科用インプラントの上面図である。
【００２７】
【図２Ｄ】図２Ｄは、図１の歯科用インプラントの下からの図である。
【００２８】
【図３Ａ】図３Ａは、減少した直径を有する滑らかなカラー部分を持つツーピース歯科用インプラントの一実施態様の透視図である。
【００２９】
【図３Ｂ】図３Ｂは、種々の見出しを付した長さを持つ図３Ａのインプラントを示す側面図である。
【００３０】
【図４Ａ】図４Ａは、図３Ａの歯科用インプラントの側面図である。
【００３１】
【図４Ｂ】図４Ｂは、図３Ａの歯科用インプラントの断面側面図である。
【００３２】
【図４Ｃ】図４Ｃは、図３Ａの歯科用インプラントの上面図である。
【００３３】
【図４Ｄ】図４Ｄは、図３Ａの歯科用インプラントの下からの図である。
【００３４】
【図５】図５は、骨組織内に移植されたツーピース歯科用インプラントの概略図である。
【００３５】
【図６】図６は、ツーピース歯科用インプラントの実施態様の移植のための挿入器具の側面図である。
【００３６】
【図７Ａ】図７Ａは、ツーピース歯科用インプラントの一実施態様中に挿入された図６の器具の上面図である。
【００３７】
【図７Ｂ】図７Ｂは、ツーピース歯科用インプラントの一実施態様中に挿入された図６の器具の側面図である。
【００３８】
【図７Ｃ】図７Ｃは、ツーピース歯科用インプラントの一実施態様中に挿入された図６の器具の断面側面図である。
【００３９】
【図８】図８は、大きな溝を有するカラーを持つツーピース歯科用インプラントの別の実施態様の透視図である。
【００４０】
【図９Ａ】図９Ａは、図８の歯科用インプラントの側面図である。
【００４１】
【図９Ｂ】図９Ｂは、図８の歯科用インプラントの断面側面図である。
【００４２】
【図９Ｃ】図９Ｃは、図８の歯科用インプラントの上面図である。
【００４３】
【図９Ｄ】図９Ｄは、図８の歯科用インプラントの下からの図である。
【００４４】
【図１０】図１０は、小さな溝を有するカラーを持つツーピース歯科用インプラントの別の実施態様の透視図である。
【００４５】
【図１１Ａ】図１１Ａは、図１０の歯科用インプラントの側面図である。
【００４６】
【図１１Ｂ】図１１Ｂは、図１０の歯科用インプラントの断面側面図である。
【００４７】
【図１１Ｃ】図１１Ｃは、図１０の歯科用インプラントの上面図である。
【００４８】
【図１１Ｄ】図１１Ｄは、図１０の歯科用インプラントの下からの図である。
【発明を実施するための形態】
【００４９】
本発明の特定の実施態様が添付図面を参照して今や説明されるであろう。しかし、本発明は、多くの異なる形で具体化されることができ、ここに記載された実施態様に限定されるものとして解釈されるべきでなく、むしろこれらの実施態様は、この開示が完全でありかつ完成したものであるようにかつ本発明の範囲を当業者に完全に伝達するように提供される。添付図面に示された実施態様の詳細な説明中で使用された用語は、本発明を限定することを意図していない。図面において、同様な番号は同様な要素を示す。
【００５０】
以下の説明は、歯科用インプラントに適用可能な本発明の実施態様に焦点を合せている。しかし、本発明はこの用途に限定されず、顎顔面修復物、耳修復物等のための頭側固定インプラントのような多くの他のインプラントに適用されることができることは認識されるであろう。
【００５１】
ツーピース歯科用インプラントは、骨組織内に固定するためのフィクスチャー、及びフィクスチャー上に解放可能に配置されるアバットメント素子を含む。広い種類のアバットメント素子が利用可能であるので、ツーピース歯科用インプラントは、特定の患者状況に関して、例えばもしアバットメント部分が少なくとも部分的に見えるなら、物理的寸法または色のような美的特徴に関して、大きなフレキシビリティを与える。
【００５２】
本発明の実施態様は、ツーピース歯科用インプラントに関するものであり、そこでは本実施態様の文脈における用語「歯科用インプラント」は、骨組織内の固定のためのツーピース歯科用インプラントの上述のフィクスチャー素子にのみ言及し、別個の経粘膜アバットメント素子を含まない。より詳細には、歯科用インプラントは骨組織内に、例えばその孔内に移植される。治癒期間中に、歯科用インプラントは周囲骨組織と一体化され、従って所定場所に固定される。アバットメントは、着座する人工歯科用修復物のための歯科用インプラントに固定される。歯科用修復物は、アバットメントに取付けられる置換歯、歯科用ブリッジ、永久義歯等であることができる。
【００５３】
図１及び図２Ａ−Ｄには、拡張した直径を有するカラーを持つツーピース歯科用インプラント４のフィクスチャー素子が示されている。歯科用インプラント４は、骨組織に並置するための頂端部４０、及び実質的に円筒状の螺旋ねじ山４１を含む。螺旋ねじ山４１は頂端部４５内で頂端４００に向けてわずかに先細りとなっている。さらに、このねじ山は一つまたは幾つかの螺旋ねじ渦巻きを含むことができる。頂端部４５は先細りの切頭円錐形であり、かつ頂端４００に向けてねじ切られていない。すなわち螺旋ねじ山４１は頂端４００からある距離で終了する。先細りは、骨組織内に調製された孔中への移植時に歯科用インプラント４の導入を容易にすることを意図されている。さらに、歯科用インプラント４は、円筒状ねじ山４１の最大直径に比べて増加した直径のカラー４４を持つ上部４２を含む。カラー４４の最大外径は、歯科用インプラント４の移植の前に皿穴カッターにより調製された骨組織中の孔の面取り上縁中に嵌る寸法をしている。
【００５４】
歯科用インプラント４は、上部４２から出現する少なくとも部分的にめねじ付きの中空部４３を持つ。
【００５５】
歯科用インプラント４は、例えばＷＯ０５０７２６３９Ａに記載されたような使用のために適している。しかし、この歯科用インプラント４であっても、上で説明したように、特定の用途のために不適当であるかもしれない。
【００５６】
ツーピース歯科用インプラント１のフィクスチャー素子の一実施態様が図３Ａ，３Ｂ及び図４Ａ，４Ｂ，４Ｃ及び４Ｄに示されている。歯科用インプラント１、すなわちそのフィクスチャー素子または骨固定素子は、骨組織に並置するために工夫された頂端部１０を含む。頂端部１０は骨長さＬ２を持つ。頂端部１０は、螺旋ねじ山１１を含み、それは先細りとなっており、歯科用インプラント１の頂端１００で終わる。螺旋ねじ山１１は、先細り螺旋ねじ山１１の冠状端に最大外径Ｄ１を持つ。螺旋ねじ山１１の最大外径Ｄ１はまた、フィクスチャー素子の最大外径である。
【００５７】
先細り螺旋ねじ山１１は、冠状部１４から頂端１００まで骨長さＬ２に沿ってずっと延びる。歯科用インプラント１は、異なる円錐度を持つ複数の部分（すなわち歯科用インプラント１の縦軸に対して異なる先細り角度を持つ部分）を含む。頂端部１０の螺旋ねじ山１１の第一先細り部１６は、冠状部１４から縦方向長さＬ４に沿って延びる。第一先細り部１６は、長さＬ５を持つ第二先細り部１５に隣接する。第二先細り部１５は頂端１００まで完全に延びる。
【００５８】
円錐形状に先細りとなった螺旋ねじ山１１の頂端１００は、歯科用インプラント１の縦軸に実質的に垂直な面により頭を切られている。
【００５９】
歯科用インプラントの他の実施態様は、一つ以上の異なる角度の先細りを持つことができる。
【００６０】
螺旋ねじ山１１が一つ以上の先細り部分を持つという事実のおかげで、歯科用インプラント１と骨組織の間の骨組織内の微小運動が最少化されるので、骨組織内の有利な増大した機械的安定性が移植時に提供される。従って、かかる微小運動に起因する骨吸収が最少化される。特に、歯科用インプラントの一次安定性がこのようにして移植時に改善される。実施態様の実際の実施において、螺旋ねじ山１１の第一先細り部分の円錐度、すなわち図３Ｂに示された直径Ｄ１とＤ３との間の差は約０．２ｍｍである。Ｄ３は、第一先細り部分と第二先細り部分とが互いに隣接する歯科用インプラントの位置での外径である。
【００６１】
さらに、歯科用インプラント１は、歯科用インプラント１の縦方向において頂端部１０に対向して配置された上部１２を含む。少なくとも部分的にめねじ付きの中空部１３が、上部１２に含まれた開口から出現する。少なくとも部分的にねじ付きの中空部１３は、外科用器具５０、補綴要素６０、または業界で既知の同様な要素の一つを解放可能に受けることができる。
【００６２】
図示された実施態様では、上部１２は、突出する六角形の力伝達連結接触面を含む。連結接触面は、好適な器具から歯科用インプラントへの回転トルク伝達を可能にするように設けられる。他の実施態様では、力伝達連結接触面は四、五、七、八、九または十個の力伝達表面を持つような別の設計を持つことができ、それらはさらに、星形形状、ｔｏｒｘ形状等で配置されることができる。示された六角形のような力伝達連結接触面はまた、冠状部１４の内側に配置されることができる。
【００６３】
歯科用インプラント１の冠状部１４は、軟組織７０に並置するために及び連結組織付着のために工夫されている。冠状部１４は、上部１２から頂端部１０に向けて配置され、かつ軟組織７０の層厚さより小さくなるように工夫された歯科用インプラント１の縦方向の長さＬ３を持つ。
【００６４】
冠状部１４は、ねじ山１１の冠状端部から上部１２まで延びるカラーとして設けられる。図に見られるように、冠状部１４は、螺旋ねじ山１１の最大直径より小さい最大外径を持つ。歯科用インプラント１の冠状部１４は、例えば歯科用インプラント１の縦軸に対して平行にまたは角度を付けて、真直ぐに形成されるかまたは滑らかに形成されることができる。
【００６５】
冠状部１４の典型的な表面粗さは、移植時に有利な連結組織付着を提供する５マイクロメーターの大きさであることができる。
【００６６】
冠状部１４は、歯科用インプラント１上の一体化された短いアバットメントとして設けられることができる。
【００６７】
冠状部１４は、インプラント上の冠状部１４の周りの連結組織形成のための有利なベースを提供する。この連結組織形成は、歯科用インプラントの骨組織内の安定性及び一体化を改善し、例えば以下に述べられるように一時的治癒アバットメント６０を変えるのと関連して、歯肉溝７３（図５参照）が歯科用インプラントに沿って下に延び続けないように骨吸収を防ぐのに貢献する。
【００６８】
従って、冠状部１４は、例えば骨吸収に関連した軟組織に対する危険を最少とするように工夫されている。
【００６９】
軟組織のさらに増大した安定化は、追加的にまたは代替的に歯科用インプラント２，３の他の実施態様に関して以下に述べられるような大きい及び／または小さい凹所または溝を冠状部１４に設けることにより達成されることができる。大きい及び／または小さい凹所または溝は、ある実施態様では円周的に延びる環状凹所または溝であることができる。
【００７０】
冠状部１４は、軟組織の層厚さより小さい歯科用インプラント１の縦方向の長さを持つ。冠状部１４は、軟組織７０に並置するためにかつ連結組織付着のために工夫されている。冠状部１４は、図示されたように上部から頂端部１０に向けて配置される。このようにして、冠状部１４は、移植時に、軟組織７１の層の内側に埋め込まれて配置され、それは、歯肉内に隠されかつ見ることができないので美的に有利な配置を提供する。
【００７１】
冠状部１４の長さは、移植部位の軟組織７１の連結組織７２の高さに実質的に等しいように選ばれることができる。連結組織７２の高さは０．７〜２ｍｍの範囲、典型的には１ｍｍであることができる。
【００７２】
第二冠状部１４は、前記軟組織７０の層厚さより小さくなるように工夫された歯科用インプラント１の縦方向の長さＬ３を持つ。実際の実施では、冠状部は、歯科用インプラント１の縦軸方向に約０．７〜２ｍｍの範囲、典型的には１ｍｍの長さを持つ。
【００７３】
冠状部１４の長さは、連結組織７２の成長を促進するように工夫されることができる。
【００７４】
頂端部１０の一部は、骨組織８０の皮質骨組織７４に並置されるように工夫されている。
【００７５】
図６は、ツーピース歯科用インプラントの実施態様の移植のための挿入器具５０の側面図である。器具５０は、回転力供給ユニットの回転係合のための近位端を持つ。長いシャフト５１が遠位端５６に向けて遠位部５５まで延びる。係合部５３は、回転力供給ユニットからの回転運動をインプラントに伝達するための係合素子５４を含む。
【００７６】
図７Ａ，７Ｂ及び７Ｃは、ツーピース歯科用インプラント１のフィクスチャーの一実施態様中に挿入された図６の器具の上面図、側面図、及び側面断面図である。
【００７７】
ツーピース歯科用インプラント２のフィクスチャーの別の実施態様が図８に示されている。この歯科用インプラント２のフィクスチャーは、大きい溝を有する冠状部２４を持つ。大きい溝は、有利な軟組織一体化を提供する曲がった凹所である。他の実施態様は複数の大きい溝を備えることができる。大きい溝は、０．０５〜０．２ｍｍの範囲、典型的には０．１ｍｍの最大深さを持つことができる。大きい溝は、インプラントの縦方向に０．０５〜１．８ｍｍの範囲、典型的には０．８ｍｍの長さを持つことができる。大きい溝の設計は、冠状部１４の設計に依存することができる。
【００７８】
ツーピース歯科用インプラント３のフィクスチャーのさらなる実施態様が図１０に示されている。歯科用インプラント３のフィクスチャーは、冠状部２４の有利な軟組織一体化を提供する複数の小さい凹所または溝を有する冠状部２４を持つ。小さい溝は、ある実際の実施態様では典型的には０．０５ｍｍの大きさの最大深さを持つ。
【００７９】
歯科用インプラント１，２，３のフィクスチャーの実施態様の頂端部１０，２０，３０は、骨組織８０の歯槽縁８１にまたはその下に配置されるように工夫されている。
【００８０】
歯科用インプラントのフィクスチャーの実施態様のねじ付き中空部１３，２３，３３は、骨組織中のねじ付き挿入のための制御長さを提供する歯科用インプラントの合計長に対してある比の深さを持つ。特に歯科用インプラントが狭いマージンを与える骨組織中に挿入されることになるときに、例えば上記「背景技術」部に記載されたように、骨吸収による移植のために利用できる骨組織がほとんど残らないときに、歯科用インプラントの挿入時に挿入方向を制御するために十分な制御長さが重要である。
【００８１】
これは、フィクスチャーの安定な挿入が挿入時のいかなるぐらつく動きもなしに確保されるので、フィクスチャーの挿入時の移植部位での減少した骨吸収を提供する。挿入器具５０は、器具５０の遠位部５５が十分な長さを持つので十分な方向安定性を備えている。これは、歯科用インプラントの十分な一次安定性を確保する。
【００８２】
図３Ｂの例に示すように、実施態様による歯科用インプラントのフィクスチャーは、次の部分によって区別されることができる：
Ｌ２：歯科用インプラントの骨組織への並置のための部分の骨の長さ；
Ｌ３：軟組織の長さ、すなわち連結組織付着のための歯科用インプラントの部分の長さ；
Ｌ１：Ｌ２とＬ３の合計長さ；
Ｌ４：歯科用インプラントの冠状部から延びる頂端部の螺旋ねじ山の第一先細り部分の縦方向長さ；
Ｌ５：歯科用インプラントの頂端から第一先細り部まで延びる頂端部の螺旋ねじ山の第二先細り部分の縦方向長さ；
Ｄ１：冠状部１４への移行でのねじ山１１の最大外径；
Ｄ２：冠状部１４の最大外径；
Ｄ３：長さＬ５を持ち、かつ頂端１００から離れて位置されている、先細り頂端部１５での、その冠状側端部での、螺旋ねじ山１１の最大外径；及び
Ｄ４：頂端部１０の截頭頂端１００に近い頂端部１５の螺旋ねじ山１１の最大外径。
【００８３】
歯科用インプラントの本フィクスチャーのある特定の実際の実施態様は次の近似寸法を持つ：
・  最短合計長さ：３．５〜４ｍｍ；
・  最大合計長さ：５ｍｍから６ｍｍ未満まで；
・  骨の長さ（Ｌ２）：３．５〜５．５ｍｍ、典型的には４．５ｍｍ；
・  軟組織部（Ｌ３）：０．７〜２ｍｍ、典型的には１ｍｍ；
・  螺旋ねじ山の第一先細り部の長さ（Ｌ４）：２．３〜３．６ｍｍ、典型的には骨の長さＬ２の２／３；
・  螺旋ねじ山の第二先細り部の長さ（Ｌ５）：１．１２〜１．８４ｍｍ、典型的には骨の長さＬ２の１／３；
・  最大外径（Ｄ１）：３．５〜５ｍｍ、典型的には４．５ｍｍ；
・  骨固定面積：約５０〜９４ｍｍ２、典型的には６４ｍｍ２。
【００８４】
これらの特定の実際の実施態様は、歯科用インプラントにより要求されるような十分な力伝達を提供することを立証した。
【００８５】
歯科用インプラントのフィクスチャーの実施態様のねじ付き中空部１３，２３，３３は、歯科用インプラントの骨長さ（Ｌ２）に対するその深さの比が１．０を含む０．８または１．２のような約０．８〜１．２の範囲を持ち、歯科用インプラントの合計長さは６ｍｍより小さいか、または約６ｍｍに等しい。
【００８６】
ツーパート歯科用インプラントのフィクスチャーの合計長さに対する最大外径の比は約０．８３〜１．１４の範囲である。
【００８７】
頂端部１０，２０，３０の縦方向の長さ（Ｌ２）（すなわち骨長さ）に対する冠状部１４，２４，３４の長さ（Ｌ３）の比は約０．１３〜０．５７の範囲であり、ツーパート歯科用インプラントのフィクスチャーの合計長さは６ｍｍより小さい。
【００８８】
歯科用インプラントのフィクスチャーの実施態様の合計長さに対する骨固定面積（π＊Ｄ＊Ｌ２）の比は約１２．５〜１５．６ｍの範囲である。
【００８９】
歯科用インプラントのフィクスチャーの実施態様では、ねじ山１１の最大外径Ｄ１は冠状部１４の最大外径Ｄ２より大きい。この特徴のおかげで、皿穴カッターに対する要求が排除される。歯科用インプラントが移植される孔を調製するためには単一の外科用ドリルで十分であり、実施態様により歯科用インプラントを移植するために必要な器具と処理時間の両者が少ないので経済的節約を提供する。吸収された顎骨組織の移植部位で利用できる骨組織は少ないので、価値ある骨物質は、歯科用インプラントの改良されたオッセオインテグレーション及び安定性のために節約され、歯科用インプラントのフィクスチャーの移植における骨吸収の危険が低下される。さらに、有利な設計のおかげで、冠状部の十分な直径Ｄ２は、確実かつ信頼性ある設置を容易にする十分な強度及び安定性を持って外科用器具５０及び補綴要素６０の少なくとも一つを受ける内部中空部のために利用可能である。
【００９０】
実施態様では、直径Ｄ１は直径Ｄ２より約１０〜２０％大きく、特に約１５％大きい。
【００９１】
歯科用インプラント１，２，３のフィクスチャーは、少なくとも頂端部１０，２０，３０に、骨成長強化剤層及び／または改善されたオッセオインテグレーションのための表面を備えることができる。
【００９２】
まとめると、改善された短いインプラントが提供され、それらは、移植時のインプラントの安定性を少なくとも維持しまたは改良しながら、まだ負荷されていない利用可能な骨長さ、及び移植時に一体化された軟組織を最大に使用するように工夫されている。歯科用インプラントの移植時の骨吸収の危険は実質的に低下されまたは排除される。
【００９３】
従来の歯科用インプラントを固定するために残された骨をほとんど持たないかまたはほんのわずかしか持たない患者に対して歯科用インプラントを提供可能にするために存在するインプラントを単に短く切断することとは対照的に、骨吸収を避けるためのマージンが歯科用インプラントの冠状部に提供される。
【００９４】
一実施態様では、歯科用インプラントのフィクスチャーの複数の実施態様を含むキットが提供される。このキットはまた、挿入器具５０及び好適な外科用ドリルを含むことができる。
【００９５】
さらに、骨組織中の歯科用インプラントの安定性を改善する方法が提供される。この方法は、実施態様によるツーピース歯科用インプラントのフィクスチャーを骨組織８０中に移植することを含む。この移植は、ねじ付き中空部１３，２３，３３を持つ歯科用インプラント１，２，３の上部１２，２２，３２と解放可能にかみ合う外科用器具５０の回転運動による歯科用インプラント１，２，３の螺旋ねじ山１１，２１，３１を含む頂端部１０，２０，３０の骨組織への並置を含む。この回転運動は、歯科用インプラント１，２，３の冠状部１４，２４，３４が骨組織８０の上の軟組織７０に並置されかつ頂端部１０，２０，３０が骨組織８０の頂上８１にまたはその下に位置されるまで実施され、それにより冠状部１４，２４，３４は軟組織７０の部分７２内に埋め込まれる。
【００９６】
この方法はさらに、ねじ付き中空部を持つ歯科用インプラント１，２，３の上部１２，２２，３２のねじ付き中空部１３，２３，３３中に一時治癒アバットメント６０を取付けることを含む。
【００９７】
図５は、この状況の概略図であり、骨組織８０内に移植されたツーピース歯科用インプラント３のフィクスチャーを示す。
【００９８】
図からわかるように、インプラントは骨組織８０内にかなりの部分を移植されている。神経または血管７５が、骨組織８０内の歯科用インプラント３の頂端の遠位に概略的に示されている。頂端と神経または血管７５との間の安全なマージン７６が、ツーピース歯科用インプラント３のフィクスチャーが短い長さを持つので有利に提供され、一方歯科用修復物を担持するために骨組織８０内の歯科用インプラント３の必要な安定性が提供される。
【００９９】
歯肉裂け目７３がアバットメント６０の表面と自由歯肉の間の空間として、すなわちアバットメント６０を取り囲みかつアバットメント表面に直接付着していない歯肉の部分として示されている。
【０１００】
治癒期間後、一時治癒アバットメント６０は除去され、歯科用インプラントの上部の空間内の位置は永久補綴要素を作るために記録される。次いで一時治癒アバットメント６０または別の一時アバットメントがねじ付き中空部中に再度取付けられる。補綴要素が作られ、一時アバットメントが再び除去される。次いで作られた最終補綴要素がねじ付き中空部に取付けられ、例えばアバットメントを介して歯科用ブリッジまたは歯冠が取付けられる。
【０１０１】
このアバットメントまたは補綴要素の交換は、骨組織内の歯科用インプラントの安定性を変えない。なぜなら連結組織７２の層は、包含される機械的応力により影響されないからである。歯肉裂け目７３は、歯科用インプラント３に沿って下に延びず、歯科用インプラント３の骨組織８０内の安定性は確保され、同様に骨吸収が防止される。
【０１０２】
本発明は特定の実施態様に関して上で説明された。しかし、上述以外の実施態様が本発明の範囲内で等しく可能である。本発明の種々の特徴及び工程は、説明されたもの以外の他の組合せで組合されることができる。本発明の範囲は、添付特許請求項によってのみ限定される。
【図１】
2011527916.tif 000003
【図２Ａ】
2011527916.tif 000004
【図２Ｂ】
2011527916.tif 000005
【図２Ｃ】
2011527916.tif 000006
【図２Ｄ】
2011527916.tif 000007
【図３Ａ】
2011527916.tif 000008
【図３Ｂ】
2011527916.tif 000009
【図４Ａ】
2011527916.tif 000010
【図４Ｂ】
2011527916.tif 000011
【図４Ｃ】
2011527916.tif 000012
【図４Ｄ】
2011527916.tif 000013
【図５】
2011527916.tif 000014
【図６】
2011527916.tif 000015
【図７Ａ】
2011527916.tif 000016
【図７Ｂ】
2011527916.tif 000017
【図７Ｃ】
2011527916.tif 000018
【図８】
2011527916.tif 000019
【図９Ａ】
2011527916.tif 000020
【図９Ｂ】
2011527916.tif 000021
【図９Ｃ】
2011527916.tif 000022
【図９Ｄ】
2011527916.tif 000023
【図１０】
2011527916.tif 000024
【図１１Ａ】
2011527916.tif 000025
【図１１Ｂ】
2011527916.tif 000026
【図１１Ｃ】
2011527916.tif 000027
【図１１Ｄ】
2011527916.tif 000028
【国際調査報告】
2011527916.tif 000029
2011527916.tif 000030
2011527916.tif 000031
2011527916.tif 000032